(57)【要約】      （修正有）【課題】パワーストーンによる波動とアロマオイルの芳香による癒しの効果を同時に携行する事のできるアクセサリーを実現するとともに、パワーストーン及びアロマオイルの素材を簡易に交換可能とすることで、多様な組み合わせを実現できるアクセサリーを提供する。【解決手段】アロマオイルを浸透吸着させた着脱可能な多孔質材８を装着した円筒ケース７である芳香部位３と吊り輪金具６を一体化した部位を持つ立体籠形態のアクセサリー１であり、半球状籠２ａと半球状籠２ｂの開口部を止め金具４で衝合した１個の中空体にパワーストーン９を内在させた装飾部材で、外部からパワーストーンの色彩、模様を鑑賞可能とすることを特徴とするヒーリングアクセサリー。【選択図】図１
0003157368.tif 000002
【実用新案登録請求の範囲】
【請求項１】
天然石(パワーストーン)を内包し、鑑賞可能なように銀を主素材としてデザイン加工された開閉可能な籠状立体であるアクセサリー本体と、前記アクセサリー本体の吊り金具部分と一体化した芳香発散部位を有することを特徴とするヒーリングアクセサリーで、パワーストーン及びアロマオイルを常に携行可能としたことが特徴となるアクセサリー。
【請求項２】
前記芳香発散部位は、前記本体アクセサリーと同素材である銀を主素材とした円筒ケース部分に、多孔質素材（アロマチップ）或いは、木片（アシベアウッド・コルク等）の素材を装填し、揮発性の精油成分（アロマオイル）を浸透させる事で持続的に芳香を保持する事が可能となり、また、添加するアロマオイルを変更したり、アロマチップを取替え可能とすることで芳香の種類を変更可能とした事を特徴とする請求項１に記載のアクセサリー。
【請求項３】
前記籠状立体アクセサリーは内包するパワーストーンの色彩を鑑賞可能な内部露出面積をデザインにて確保し、開閉用の蝶番や留め具に至るまでデザイン性に富んだ形状及び彫刻を銀を主素材として使用することで可能としたことが特徴で、内包するパワーストーンを交換することが出来ることにより、簡単に違った色彩やデザインとなることを特徴とした請求項目１に記載のアクセサリー。
【考案の詳細な説明】
【技術分野】
【０００１】
本考案は、パワーストーンによる癒し及び、アロマオイルによる癒しの相乗効果による高いヒーリング効果を持つアクセサリーに関するものである。
【背景技術】
【０００２】
従来、心や体の健康を促進する、いわゆる「癒し(ヒーリング)」効果のある「パワーストーン」と呼ばれる特定の天然石を使ったアクセサリーが知られている。石の持つ色や形をアクセサリーとして取り入れると同時に、電気的性質や波動を利用して、心や体の健康促進や癒し効果を得る目的を持っている。従来、パワーストーンを携行する為には専用のケースを用意するか、ペンダントとして身につける方法がある。しかし、パワーストーンの携行目的による従来のペンダント化では、加工を行わずに線材により縛る固定方法或いは、加工を施された場合においても、パワーストーン自体に通線用の穿孔加工が必要であった。
【０００３】
一方、アロマオイル等の芳香材を使った香りによって、ストレスの緩和や、精神安定によるヒーリング効果があると言われており、従来のアロマオイルの携帯化は、染み込ませた材料（繊維状物体）を拡散可能な状態で携行するか、液体自体を容器に入れて携行する方法であった。
【考案の開示】
【考案が解決しようとする課題】
【０００４】
パワーストーンを携行する場合には上述のように、加工されたペンダントとして一体化を余儀なくされ、携行するパワーストーンを変更したい場合には、ネックレスを含めた全体を交換する必要が生じる。
【０００５】
アロマオイルの携行化についても上述のように、液体を入れた容器を開閉する操作が必要であったり、芳香剤を確保するためにアロマオイルを浸透させた保水材を使用するなどの手間がかかり、また、その効果を室外において持続させることはあまり期待できない。
【０００６】
上述したパワーストーン及びアロマオイル双方の携行を簡易に可能とする軽量で一体形状のペンダント形アクセサリーを考案する事により、課題を解決しようとするものである。
【課題を解決するための手段】
【０００７】
請求項１の考案は、以上の課題を解決する為に、アクセサリーの形状を籠状で、開閉可能な立体形態にすることにより、簡単に内包するパワーストーンを変更する事を可能とした。また、同アクセサリーと芳香の揮発部位を一体化し、その芳香浸透材を取替え可能とする事により、アロマオイルの種類も簡単に変更でき、持続性も保持することを可能としたことを特徴とするヒーリングの相乗効果を持つ携行可能なアクセサリーである。
【０００８】
請求項２の考案では、前記本体と一体化した芳香揮発部位の形状に関して、本体アクセサリーと同素材である銀を主素材とした円筒ケース部分に、揮発性の精油成分（アロマオイル）を浸透させた多孔質素材であるアロマチップ或いは、木片（アシベアウッド・コルク等）の素材を装填することで、持続的に芳香を保持する事を可能とし、また、アロマチップ自体を取替え可能とすることで芳香の種類を簡易に変更可能とした事を特徴とするアクセサリーである。
【０００９】
請求項３の考案では、籠状立体アクセサリーとして内包するパワーストーンの色彩を鑑賞可能とすることを特徴とし、簡易に開閉可能とすることで、その日の気分や服装との兼ね合いで携行するパワーストーンの種類を簡単に変更する事を可能とした事を特徴とするアクセサリーである。
【００１０】
ペンダントトップとしての使用時には、芳香部位とアクセサリーの釣具部分を一体化することにより、その芳香効果を上部（顔の前面）に集中させ、アクセサリー全体の球状形態を損なわずに、携帯することが可能となる。また、アクセサリー自体の材質に銀を主素材として使用する事により、軽量化と、アクセサリーとしてのデザイン加工においての多様化、自由度を保つ事が出来る。
【考案の効果】
【００１１】
パワーストーンの波動による癒し効果とアロマオイルの芳香による癒し効果による相乗したヒーリング効果を簡単に持ち出すことが可能となる。また、ひとつのアクセサリーで、その日の気分や衣装とのバランスによりパワーストーンの色、種類を自由に選択する事が可能となり、それに合わせて多種存在するアロマオイルの芳香の選択により非常に多くのバリエーションが提供可能となる。
【図面の簡単な説明】
【００１２】
【図１】本考案の一実施形態の正面図。
【図２】本考案の裏面図。
【図３】本考案の上面図。
【図４】本考案のペンダントの開口状態の斜視図。
【図５】本考案の芳香部位の一部切欠内部構造図。
【図６】本考案の実施例２の斜視図。
【符号の説明】
【００１３】
１    ヒーリングアクセサリー本体(総称)
２ａ  アクセサリー半球状籠上部
２ｂ  アクセサリー半球状籠下部
３    芳香部位
４    留め金具
５    蝶番
６    吊り輪金具
７    円筒ケース
８    多孔質材
９    天然石（パワーストーン）
１０  輪状金具
【考案を実施するための最良の形態】
【００１４】
以下、本考案の実施の形態として一実施例を図１〜図５に基づいて説明する。図１は、アクセサリー全体の正面図であって、半球状籠２ａと半球状籠２ｂの２個を、裏面図２の蝶番５にて蝶着し、留め金具４にて嵌め合わせてパワーストーン９を内包した状態で着接状態を保持する。芳香部位３は半球状籠２ａと一体化した円筒ケース７及び吊り輪金具６で構成され、円筒ケース７内に多孔質材８（アロマチップ）或いは木片（アシベアウッド、コルク等）を装填している。吊り輪金具６はネックレスとして利用する場合の、紐やチェーン等を通す為の輪形態の金属である。
【００１５】
ペンダントトップとしての利用を想定とした場合には、球体部分は２ｃｍ程度、芳香部位は5ｍｍ前後の形状が望ましいが、内包する天然石９の重量や形状に左右される場合がある。また、本体の形状が球体であっても立方体でも考案実施の形態として限定されるものではない。
【００１６】
図２はヒーリングアクセサリー全体の裏面図である。正面図１と同様に内包されたパワーストーン９を鑑賞することが出来、デザイン加工を別にすることで、表裏２通りのデザインを楽しめる。蝶番５により、半球状籠２ａと半球状籠２ｂの２個を蝶着している。
【００１７】
本考案のアクセサリーは、銀を主材料として利用する事で、内在する天然石９を鑑賞する為の露出面積を確保する図１及び図２のようなデザイン加工が容易に可能となるが、これは、軽量化とデザインの容易性から、意匠性のバリエーションを増加させ、アクセサリーとしての価値を高めることが目的である為であり、ペンダントとして使用するための軽量化を目的とせずに、置物としての利用の場合には、大きさと重量の制約も無くなる為、別の金属素材（金等）を利用することも可能である。また、その場合においても、室内装飾品として利用する事で、本考案の相乗したヒーリング効果は得る事が可能である。
【００１８】
図３は、ヒーリングアクセサリーの上面図である。上部には内部に多孔質材８を装填した円筒ケース７の芳香部位３と吊り輪金具６を一体化している。上部からも内包されたパワーストーン９を鑑賞することが出来る。
【００１９】
図４は、ヒーリングアクセサリーの開口した状態の斜視図である。留め金具４を外して、半球状籠２ａと半球状籠２ｂを開口することにより、内部のパワーストーン９を気分に応じて簡単に入れ替えることが可能となる。
【００２０】
図５はヒーリングアクセサリーの半球状籠２ａと一体化している芳香部位３の内部構造図である。円筒状のケース７に多孔質材８（アロマチップ・アシベアウッド・コルク等）を装填し、その材質部分にアロマオイルを数滴添加することで、内部に精油成分が浸透し、上部露出部から芳香を拡散させる。円筒ケース７内に浸透させた芳香成分が順次上部露出部分から拡散する事になり、その芳香効果を長時間持続させる事が可能となる。吊り輪金具６をチェーン等に連結することにより、ペンダントトップとしての利用が可能となる。その利用形態では、芳香効果を上部（顔の前面）に集中させることになり、アロマオイルの癒し効果を一層実感できる。
【００２１】
なお、本考案は、実用新案請求の範囲に記載の趣旨を逸脱しない限り、具体的に詳述した前記実施の形態に限定されない。
【００２２】
本考案の実施形態のバリエーションとして、図５の芳香部位のみを本体と分離独立して使用することにより、同様の目的を達成する実施形態例２を図６をもとに説明する。
【００２３】
本考案の上記実施形態は、パワーストーンを球状形態である本体に内包することにより、携行可能としているが、ヒーリング効果を広く認められている水晶の結晶体等、種類により大きさや形状が内包不可能なものも存在する。この場合には、アクセサリーの芳香部位３である図５部分を分離独立させて、通線可能な輪状金具１０を数個、円筒ケース７の下部に設ける加工を施す事で、図６のようにデザインを考慮しつつ線材により縛り固定した天然石と前記輪状金具１０とを線材を使い連結することが可能となる。このことで、本考案の主旨であるパワーストーンと芳香による癒しの相乗効果をペンダント形状にして携行するという目的を達成する事が可能となる。
【００２４】
また、上述のペンダントとしての利用のほかに、アクセサリー本体１の大きさを変えることにより、他のネックレスと組み合わせたり、ブローチ、キーホルダー、ストラップ等にも適用可能である。
【図１】
0003157368.tif 000003
【図２】
0003157368.tif 000004
【図３】
0003157368.tif 000005
【図４】
0003157368.tif 000006
【図５】
0003157368.tif 000007
【図６】
0003157368.tif 000008
【手続補正書】
【提出日】平成21年10月6日(2009.10.6)
【手続補正１】
【補正対象書類名】実用新案登録請求の範囲
【補正対象項目名】請求項１
【補正方法】変更
【補正の内容】
【請求項１】
天然石を内包し、鑑賞可能なように銀を主素材としてデザイン加工された開閉可能な籠状立体であるアクセサリー本体と、前記アクセサリー本体の吊り金具部分と一体化した芳香発散部位を有することを特徴とするヒーリングアクセサリーで、パワーストーン及びアロマオイルを常に携行可能としたことが特徴となるアクセサリー。
【手続補正２】
【補正対象書類名】実用新案登録請求の範囲
【補正対象項目名】請求項２
【補正方法】変更
【補正の内容】
【請求項２】
前記芳香発散部位は、前記アクセサリー本体と同素材である銀を主素材とした円筒ケース部分に、多孔質素材或いは、アシベアウッド・コルク等の木片素材を装填し、揮発性の精油成分を浸透させる事で持続的に芳香を保持する事が可能となり、また、添加するアロマオイルを変更したり、円筒ケース内の多孔質素材或いは木片を取替え可能とすることで芳香の種類を変更可能とした事を特徴とする請求項１に記載のアクセサリー。
【手続補正３】
【補正対象書類名】実用新案登録請求の範囲
【補正対象項目名】請求項３
【補正方法】変更
【補正の内容】
【請求項３】
前記籠状立体アクセサリーは内包するパワーストーンの色彩を鑑賞可能な内部露出面積をデザインにて確保し、開閉用の蝶番や留め具に至るまでデザイン性に富んだ形状及び彫刻を銀を主素材として使用することで可能としたことが特徴で、内包するパワーストーンを交換することが出来ることにより、簡単に違った色彩やデザインとなることを特徴とした請求項１に記載のアクセサリー。
【手続補正書】
【提出日】平成21年12月1日(2009.12.1)
【手続補正１】
【補正対象書類名】実用新案登録請求の範囲
【補正対象項目名】全文
【補正方法】変更
【補正の内容】
【実用新案登録請求の範囲】
【請求項１】
パワーストーンを内包し、鑑賞可能なように銀を主素材としてデザイン加工された開閉可能な籠状立体アクセサリーと、前記アクセサリー本体の吊り金具部分と一体化した芳香発散部位を有することを特徴とするヒーリングアクセサリーで、パワーストーン及びアロマオイルを常に携行可能としたことが特徴となるアクセサリー。
【請求項２】
前記芳香発散部位は、前記アクセサリー本体と同素材である銀を主素材とした円筒ケース部分に、多孔質素材或いは、アシベアウッド・コルク等の木片素材を装填し、アロマオイルを浸透させる事で持続的に芳香を保持する事が可能となり、また、添加するアロマオイルを変更したり、円筒ケース内の多孔質素材或いは木片を取替え可能とすることで芳香の種類を変更可能とした事を特徴とする請求項１に記載のアクセサリー。
【請求項３】
前記籠状立体アクセサリーは内包するパワーストーンの色彩を鑑賞可能な内部露出面積をデザインにて確保し、開閉用の蝶番や留め具に至るまでデザイン性に富んだ形状及び彫刻を銀を主素材として使用することで可能としたことが特徴で、内包するパワーストーンを交換することが出来ることにより、簡単に違った色彩やデザインとなることを特徴とした請求項１に記載のアクセサリー。